(57)【要約】【課題】コンテナ型のバイオガス発電設備を構成するバイオガス発電機において、当該発電機のエンジンオイルを交換する作業に要する負担を軽減し、時間を短縮する。【解決手段】バイオガス発電機のオイル排出口下にエンジンオイルを受けるオイルパンを常設する。コンテナ下部には、その先端部がコンテナ外へ延出するオイルドレインが通っており、オイルドレインの基端部はオイルパンに形成した連通孔に接続される。これにより、オイルパンに排出したエンジンオイルは、連通孔からオイルドレインを通ってコンテナ外に配置したオイル回収容器に半自動的に回収される。【選択図】        図１
2020051325.tif 000002
【特許請求の範囲】
【請求項１】
コンテナ収納型のバイオガス発電設備において、当該発電設備を構成するバイオガス発電機に設けたエンジンオイルの排出口から排出されたエンジンオイルを、前記コンテナの外部へ流すオイルドレインを前記コンテナに具備したことを特徴とするバイオガス発電設備。
【請求項２】
前記排出口とオイルドレイン間にオイルパンを具備したことを特徴とする請求項１記載のバイオガス発電設備。
【請求項３】
前記オイルドレインによってコンテナ外部へ排出したエンジンオイルを回収するオイル回収容器を前記コンテナ外部に配置したことを特徴とするバイオガス発電設備。
【請求項４】
コンテナ収納型のバイオガス発電設備に設けたエンジンオイルの排出口からオイルパン上にエンジンオイルを排出し、該オイルパンから前記コンテナに具備したオイルドレインを通してコンテナ外部に配置したオイル回収容器によってエンジンオイルを回収することを特徴とするバイオガス発電設備のエンジンオイル交換方法。
【発明の詳細な説明】
【技術分野】
【０００１】
本発明は、コンテナ収納型のバイオガス発電設備において、これを構成するバイオガス発電機のエンジンオイルを交換する際の作業負担を軽減できる構造および方法を提供するものである。
【背景技術】
【０００２】
近年、地球温暖化や化石燃料の枯渇といった問題を解決する手段の一つとして、再生可能エネルギーの利用が注目されている。再生可能エネルギーとしては太陽光発電や風力発電、波力発電、地熱発電のほかに、家畜の糞などを発酵させて発生したメタンガス（以下、バイオガスという）から電気をつくるバイオガス発電も従来から利用されている。
【０００３】
バイオガス発電は、家畜の糞尿や食品廃棄物などの有機ゴミからメタンガス等のバイオガスを生成し、これを燃やすことで発電する。有機ゴミは嫌気性微生物の力を利用して発酵させてバイオガスを生成し、そのバイオガスでガス発電機を回すことによって発電するものである。
【０００４】
バイオガス発電設備としては、建屋内に設置する場合のほか、コンテナ内に収納する場合があり、コンテナ内に収納する場合は、コンテナ内の各種配管がメーカー工場にて行われるので、バイオガス発電設備の設置現場での配管工事が省略できる利点がある。（下記非特許文献１参照）。
【先行技術文献】
【特許文献】
【０００５】
【非特許文献１】［平成３０年９月２６日検索］インターネット＜URL：http://www.ecoheart.com/biogas_cogene/info/installation.html＞
【０００６】
コンテナ型のバイオガス発電設備は、発酵槽によって発生させたバイオガスを燃やして発電するバイオガス発電機を備えており、当該発電機がバイオガス発電設備を構成する各種設備を収納する複数のコンテナの一つに収納されている。
【０００７】
図２にコンテナ型のバイオガス発電設備を簡略的に示す。図２において、Ｂは従来のバイオガス発電設備の構造を示す一例であり、１はバイオガス発電機、２はこれを収容するコンテナを示している。
【０００８】
前記バイオガス発電機１には、これを構成する内燃機関の運動各部の潤滑やエンジンの温度を低下させるなど、エンジンを摩擦と熱から守るためにエンジンオイルが利用される。
【０００９】
しかし、エンジンオイルは前記運動各部の摩擦によって発生する不純物や金属粉を吸収するため次第に劣化していく。エンジンオイルが劣化すると、エンジンの正常な性能の発揮が難しくなり、エンジンパワーの低下や燃費の悪化、また故障発生の原因ともなる。このため、エンジンオイルは定期的な交換が必要となる。
【００１０】
特に、バイオガス発電機１は常時稼働のため、エンジンオイルの交換頻度が高くなる。エンジンオイルの交換には、当然ながらエンジンオイルをバイオガス発電機１から外部へ排出し、交換用のエンジンオイルを新たに投入する必要があることから、バイオガス発電機１にはエンジンオイルを外部へ排出するためのオイル排出口３が設けられている。
【００１１】
また、バイオガス発電機１にはその下部位置にこれを支持するベース４が設けられており、該発電機1の底面とコンテナ２の床面との間に所定の空間ｘが形成される。
【００１２】
５は前記空間ｘに配置するオイルパンであり、６はコンテナ２の外部において、エンジンオイルを回収するために配置されたオイル回収容器である。
【発明の概要】
【発明が解決しようとする課題】
【００１３】
以上のように構成した従来のバイオガス発電設備Ｂにおいて、エンジンオイルを交換する場合は、まず、コンテナ２の扉（図示せず）を開放し、オイルパン５を空間ｘのオイル排出口３の下方位置に差し入れる。
【００１４】
この状態で、オイル排出口３の手動開閉弁３ａを開放すると、バイオガス発電機１のエンジンオイルがオイルパン５上に排出される。
【００１５】
バイオガス発電機１からエンジンオイルの排出が完了したら、オイルパン５を発電機１下方位置から引き出し、コンテナ２の外部へ持ち出す。
【００１６】
オイルパン５によってコンテナ２外部へ持ち出したエンジンオイルは、オイルパン５からオイル回収容器６へ移し、オイル回収容器６によって回収する。
【００１７】
最後にバイオガス発電機１の図示しないエンジンオイルの投入口より新しいエンジンオイルを発電機１内へ投入することで、エンジンオイルの交換作業を完了する。
【００１８】
このように従来のバイオガス発電設備Ｂにおいては、エンジンオイルを交換する都度、オイルパン５を発電機１下へ差し入れ、オイルパン５にてエンジンオイルを受けた後、オイルパン５を発電機１下から引き出し、コンテナ2外部へ持ち出してオイル回収容器６に移す作業が必要となり、非常に手間がかかり作業負担が重かった。
【００１９】
そこで、本発明では、エンジンオイルの交換作業にかかる作業者の負担を極力軽くし、作業時間を短縮することを可能としたバイオガス発電設備の構造とエンジンオイルの交換方法を提示する。
【課題を解決するための手段】
【００２０】
請求項１記載の発明は、コンテナ収納型のバイオガス発電設備において、バイオガス発電機にエンジンオイルの排出口を設け、かつ、当該排出口から排出されるオイルを、前記コンテナの外部へ流すオイルドレインを当該コンテナに具備したことに特徴を有する。
【００２１】
請求項２記載の発明は、請求項１記載の排出口とオイルドレイン間にバイオガス発電機から排出されるエンジンオイルを受けるオイルパンを具備したことに特徴を有する。
【００２２】
請求項３記載の発明は、請求項１又は請求項２の何れかに記載のオイルドレインからコンテナ外部へ排出したオイルを回収するオイル回収容器をコンテナの外部に配置したことに特徴を有する。
【００２３】
請求項４記載の発明は、コンテナ収納型のバイオガス発電設備を構成するバイオガス発電機に設けたオイル排出口からオイルパン上にエンジンオイルを排出し、該オイルパンから前記コンテナに具備したオイルドレインを通してコンテナ外部に配置したオイル回収容器によってオイルを回収することに特徴を有する。
【発明の効果】
【００２４】
請求項１記載の発明によれば、バイオガス発電機のエンジンオイルをコンテナ外へ簡易な構造で排出することができる。
【００２５】
請求項２記載の発明によれば、バイオガス発電機から排出したエンジンオイルを一旦、オイルパンによって受けてからオイルドレインに流すことができるので、バイオガス発電機から排出したオイルを確実にオイルドレインへ流すことができる。
【００２６】
請求項３記載の発明によれば、コンテナ外へ排出したエンジンオイルをそのままオイル回収容器にて回収することができ、オイルの移し替え作業が不要となる。
【００２７】
請求項４記載の発明によれば、バイオガス発電機のエンジンオイルをコンテナ外へ容易に排出することができ、作業者の負担を軽減できるとともに、作業時間を短縮できる。
【図面の簡単な説明】
【００２８】
【図１】本発明に係るコンテナ型のバイオガス発電設備を示す縦断面図である。
【図２】従来のコンテナ型のバイオガス発電設備を示す縦断面図である。
【発明を実施するための形態】
【００２９】
以下、本発明の実施の形態を図１により説明する。なお、図１において、図２と同一の構成要素は同一符号を付して説明する。
【００３０】
図１は本発明のバイオガス発電設備Ａを示しており、コンテナ２内にバイオガス発電機１が収容されるコンテナ型のバイオガス発電設備である。
【００３１】
図１に示すバイオガス発電機１は図２に示す従来技術と同様、これを支持するベース４の存在によって、その下方に空間ｘを形成されており、この空間ｘにオイルパン８が差し入れられる。
【００３２】
図２に示す従来技術では、バイオガス発電機１からオイルパン５にエンジンオイルを排出するときのみ、オイルパン５を空間ｘに差し入れていたが、本発明では、オイルパン８は空間xに常設される。なお、オイルパン８を常設する位置は、図２に示すオイルパン５と同様、バイオガス発電機１に設けたオイル排出口３の下方位置である。
【００３３】
また、本発明のオイルパン８は、その一部分にエンジンオイルをオイルドレイン９に流す連通孔８ａが形成されている。
【００３４】
オイルドレイン９は、オイルパン８の連通孔８ａと連通する管状の部材であり、コンテナ７の下部内を通って、その先端部がコンテナ７の側面下部から外部へ延出した状態で取り付けられている。
【００３５】
オイルドレイン９の先端部は、コンテナ７の外部に配置したオイル回収容器６上に位置する。なお、９ａはオイルドレイン９のコンテナ７外部位置に取り付けたオイル排出用の手動開閉弁である。
【００３６】
次に、本発明に係るバイオガス発電設備Ａのエンジンオイルを交換する場合について説明する。バイオガス発電機１のエンジンオイルを交換する場合は、まず、オイル回収容器６をオイルドレイン９の先端位置に配置し、その後、オイルドレイン９の先端部に設けた手動開閉弁９ａを開く。
【００３７】
つづいて、バイオガス発電機１のオイル排出口３の手動開閉弁３ａを開くと、バイオガス発電機１内からオイルパン８上にエンジンオイルを排出される。
【００３８】
オイルパン８に排出されたエンジンオイルは、オイルパン８に設けた連通孔８ａからオイルドレイン９内を通り、コンテナ７の外部に突出したオイルドレイン９の先端部からオイル回収容器６内に排出される。
【００３９】
バイオガス発電機１からエンジンオイルが全て排出されたら、オイル排出口３の手動開閉弁３ａを閉じる。また、オイルドレイン９からオイル回収容器６内へエンジンオイルの排出が終了したら、オイルドレイン９の手動開閉弁９ａを閉じることで、エンジンオイルの排出を完了する。
【００４０】
排出されたエンジンオイルはオイル回収容器６によって回収される。
【００４１】
最後に図示しないエンジンオイルの投入口より新しい交換用のエンジンオイルをバイオガス発電機１内へ投入することで、エンジンオイルの交換作業を完了する。
【００４２】
以上のように、本発明においては、バイオガス発電機から排出したエンジンオイルを常設のオイルパン上に排出した後、オイルドレイン９を通してコンテナ外部に配置したオイル回収容器によって半自動的に回収できる。
【００４３】
バイオガス発電機のエンジンオイルを交換するにあたって、従来技術のように、コンテナの扉を開けてオイルパンを発電機下部に差し入れたり、排出したエンジンオイルが入ったオイルパンをコンテナ外へ持ち出し、コンテナ外に配置したオイル回収容器に移し替えるといった作業が不要となるので、作業者の作業時間を短縮できるとともに、作業負担を飛躍的に軽減することができる。
【産業上の利用可能性】
【００４４】
本発明はコンテナ内に収容され、オイルを使用する機器全般のオイル交換に利用可能である。
【符号の説明】
【００４５】
１  バイオガス発電機
２，７  コンテナ
３  オイル排出口
３ａ，９ａ  手動開閉弁
４  ベース
５，８  オイルパン
６  オイル回収容器
９  オイルドレイン
Ａ，Ｂ  バイオガス発電設備
【図１】
2020051325.tif 000003
【図２】
2020051325.tif 000004
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
バイオガス発電設備を構成する各種設備を収納する複数のコンテナの一つにバイオガス発電機を収納し、当該バイオガス発電機に設けたエンジンオイルの排出口から排出されたエンジンオイルを、これを収納する前記コンテナの外部へ流すオイルドレインを前記コンテナに具備したことを特徴とするバイオガス発電設備。
【請求項２】
前記排出口とオイルドレイン間にオイルパンを具備したことを特徴とする請求項１記載のバイオガス発電設備。
【請求項３】
前記オイルドレインによってコンテナ外部へ排出したエンジンオイルを回収するオイル回収容器を前記コンテナ外部に配置したことを特徴とする請求項１または請求項２の何れかに記載のバイオガス発電設備。
【請求項４】
バイオガス発電設備を構成する各種設備を収納する複数のコンテナの一つにバイオガス発電機を収納し、当該バイオガス発電機に設けたエンジンオイルの排出口からオイルパン上にエンジンオイルを排出し、該オイルパンから前記コンテナに具備したオイルドレインを通してコンテナ外部に配置したオイル回収容器によってエンジンオイルを回収することを特徴とするバイオガス発電設備のエンジンオイル交換方法。
【手続補正２】
【補正対象書類名】明細書
【補正対象項目名】００２０
【補正方法】変更
【補正の内容】
【００２０】
請求項１記載の発明は、バイオガス発電設備を構成する各種設備を収納する複数のコンテナの一つにバイオガス発電機を収納し、当該バイオガス発電機に設けたエンジンオイルの排出口から排出されたエンジンオイルを、これを収納する前記コンテナの外部へ流すオイルドレインを当該コンテナに具備したことに特徴を有する。。
【手続補正３】
【補正対象書類名】明細書
【補正対象項目名】００２３
【補正方法】変更
【補正の内容】
【００２３】
請求項４記載の発明は、バイオガス発電設備を構成する各種設備を収納する複数のコンテナの一つにバイオガス発電機を収納し、当該バイオガス発電機に設けたエンジンオイルの排出口からオイルパン上にエンジンオイルを排出し、該オイルパンから前記コンテナに具備したオイルドレインを通してコンテナ外部に配置したオイル回収容器によってエンジンオイルを回収することに特徴を有する。